(57)【特許請求の範囲】
【請求項１】
箱体と、
前記箱体内と連通し、前記箱体の天面よりも高い位置で上向きに開口する主吸込口を有するドーム形状をなす吸込ドームと、
前記箱体内に収納され、前記主吸込口から空気を前記箱体内に吸い込ませる送風機と、
前記箱体内に吸い込まれた空気を浄化する浄化処理手段とを備え、
前記吸込ドームの側面周辺の空気は主として前記主吸込口から前記箱体内へ吸い込まれることを特徴とする空気浄化装置。
【請求項２】
箱体と、
前記箱体内と連通し、前記箱体の天面よりも高い位置で上向きに開口する主吸込口を有するドーム形状をなす吸込ドームと、
前記箱体内に収納され、前記主吸込口から空気を前記箱体内に吸い込ませる送風機と、
前記箱体内に吸い込まれた空気を浄化する浄化処理手段とを備え、
前記主吸込口は前記吸込ドームの側壁の頂上部が口縁となるように設けられていることを特徴とする空気浄化装置。
【請求項３】
箱体と、
前記箱体内と連通し、前記箱体の天面よりも高い位置で上向きに開口する主吸込口を有するドーム形状をなす吸込ドームと、
前記箱体内に収納され、前記主吸込口から空気を前記箱体内に吸い込ませる送風機と、
前記箱体内に吸い込まれた空気を浄化する浄化処理手段とを備え、
前記主吸込口は前記吸込ドームの上部にのみ設けられていることを特徴とする空気浄化装置。
【請求項４】
吸込ドームの周囲にテーブルが備えられ、主吸込口は前記テーブルの上面よりも高い位置に設けられていることを特徴とする請求項１乃至３記載の空気浄化装置。
【請求項５】
天面に空気吸込口を有する箱体と、
前記箱体内に収納された空気を浄化する浄化処理機能及び送風機と、
前記箱体上方に設けられ、下面に導風部材と前記導風部材の両側に沿うように配置される空気吹出口とを有するチャンバーと、
前記空気吹出口から空気を吹き出すための送風機とを備え、
前記空気吹出口から吹き出される気流は前記導風部材を通過した後に合流することを特徴とする空気浄化装置。
【請求項６】
箱体の天面には前記箱体の天面よりも高い位置で上向きに開口する主吸込口を有する吸込ドームが備えられることを特徴とする請求項５記載の空気浄化装置。
【請求項７】
吸込ドームの周囲にテーブルが備えられ、主吸込口は前記テーブルの上面よりも高い位置に設けられていることを特徴とする請求項６記載の空気浄化装置。
【請求項８】
導風部材は、下方に向かって薄くなる楔状であることを特徴とする請求項５記載の空気浄化装置。
【請求項９】
空気吹出口は、口縁に下方に突出する気流ガイドを備えることを特徴とする請求項５記載の空気浄化装置。
【請求項１０】
天面に空気吸込口を有する箱体と、
前記箱体内に収納された空気を浄化する浄化処理機能及び送風機と、
前記箱体上方に設けられ、下面に空気吹出口を有するチャンバーと、
前記チャンバーを支持するとともに一端が前記チャンバーと接続され他端が前記空気吸込口よりも低い位置で開口する略筒状の支柱と、
前記空気吹出口から空気を吹き出すために前記支柱内に前記チャンバーへ向かう気流を形成する送風機とを備える空気浄化装置。
【発明の詳細な説明】
【０００１】
【発明の属する技術分野】
本発明は、限られた範囲の空間の空気汚濁を浄化する空気浄化装置に関し、特に、喫煙室や喫煙所における喫煙に伴う空気汚濁の浄化処理に適した空気浄化装置に関するものである。
【０００２】
【従来の技術】
煙や臭気等で汚濁した空気を浄化する装置として、従来からフィルターと送風機を備えた空気清浄機がある。一般に良く知られているものは、室内全体の空気を浄化する処理風量の比較的大きいものである。事業所や駅などの一角に設定される喫煙室や喫煙所等の限られた空間の局所的な空気汚濁の浄化には、処理風量の少ない空気清浄機が開発されている。例えば、特開平９―１２１９４７号公報や、特開平８―１１２１４５号公報には、空気清浄機能を有するテーブルが示されている。これらは基本的には、テーブル本体に空気清浄機を構成し、テーブル回りの限られた空間の汚濁空気を浄化処理するものであり、喫煙室や喫煙所等の限られた空間の局所的な空気汚濁の浄化に適している。
【０００３】
前記公報に挙げたものの前者は、図３８に示すようにテーブル本体７０のテーブル天板７１の中央に空気清浄機の吸込口７２が設けられ、この吸込口７２の上方を遮蔽板７３で覆い、遮蔽板７３とテーブル天板７１との間からテーブル面に沿う形態で周囲の空気を吸込み、テーブル本体７０の一側から清浄化した空気を吹出すようにしている。これに対して後者は、図３９に示すようにテーブル本体７０のテーブル天板７１の中央に空気清浄機の吸込口７２が設けられ、吸込口７２から吸込んだ空気を浄化処理して、これをテーブル天板７１上に設けられた空気吹出部７４に送り、空気吹出部７４の上部から吸込口７２方向に向って吹出すようにしている。
【０００４】
【発明が解決しようとする課題】
上記した従来の空気清浄機能を有するテーブルにおいて、特開平９―１２１９４７号公報に示されているものでは、テーブル天板７１に沿う方向に吸込口７２に向う気流が形成されるため、テーブル天板７１と接する部分の気流の流速は減衰してその吸込作用は著しく弱いうえ、遮蔽板７３とテーブル天板７１との間の限られた範囲で吸込むことになるため、汚濁空気の処理範囲が狭いといった問題点がある。また、遮蔽板７３により遮蔽板７３より上方には吸引作用が働かないため、立った姿勢で喫煙した場合には、喫煙者のくゆらす煙や、手にしたタバコから出る煙を吸込むことはできず、向い合わせに立って利用した場合には、対面相手同士でタバコの煙を吹きかけ合う事態も起き、あまり使用感の良いものではない。
【０００５】
この点、特開平８―１１２１４５号公報に示されているものは、空気吹出部７４の上部からテーブル天板７１上の吸込口７２に向って気流を吹降ろさせ、吸込口７２にタバコの煙を誘引し吸引させるため、吸引作用はテーブル天板７１の上方にもおよび、立った姿勢で喫煙した場合でも、前述のような問題はあまり起らない。しかしながら、空気吹出部７４からの気流が利用者の耳元近くで吹降ろされることになるため、耳触りな騒音を感じながら利用しなくてはならず、やはりあまり使用感の良いものではない。また、外風の有るような場所では、吹降ろす気流が乱れ吸込口７２から外れてしまうため、タバコの煙を効果的に吸引することが困難になる。さらに、上述したいずれの空気清浄機能を有するテーブルも、吸込口７２がテーブル天板７１の平面上に開口しているため、テーブル天板７１上に飲物等を置いたりしていて、不用意に転倒させたりすると、吸込口７２から内部に飲物が入り込み電気部品の故障を招くことになるといった問題点もある。
【０００６】
本発明は、浄化処理するための空気を吸引する範囲が広く、使用感の優れた空気浄化装置を得ることであり、溢れた飲物等が故障原因にならない空気浄化装置を得ることであり、喫煙に伴うタバコの煙をより効果的に吸引して浄化処理することができる空気浄化装置を得ることであり、その空気浄化装置の使い勝手の向上や機能の向上を推進することである。
【０００７】
【課題を解決するための手段】
箱体と、箱体内と連通し、箱体の天面よりも高い位置で上向きに開口する主吸込口を有するドーム形状をなす吸込ドームと、箱体内に収納され、主吸込口から空気を箱体内に吸い込ませる送風機と、箱体内に吸い込まれた空気を浄化する浄化処理手段とを備え、吸込ドームの側面周辺の空気は主として主吸込口から箱体内へ吸い込まれる。
【０００８】
箱体と、箱体内と連通し、箱体の天面よりも高い位置で上向きに開口する主吸込口を有するドーム形状をなす吸込ドームと、箱体内に収納され、主吸込口から空気を箱体内に吸い込ませる送風機と、箱体内に吸い込まれた空気を浄化する浄化処理手段とを備え、主吸込口は吸込ドームの側壁の頂上部が口縁となるように設けられている。
【０００９】
箱体と、箱体内と連通し、箱体の天面よりも高い位置で上向きに開口する主吸込口を有するドーム形状をなす吸込ドームと、箱体内に収納され、主吸込口から空気を箱体内に吸い込ませる送風機と、箱体内に吸い込まれた空気を浄化する浄化処理手段とを備え、主吸込口は吸込ドームの上部にのみ設けられている。
【００１０】
また、吸込ドームの周囲にテーブルが備えられ、主吸込口はテーブルの上面よりも高い位置に設けられている。
【００１１】
天面に空気吸込口を有する箱体と、箱体内に収納された空気を浄化する浄化処理機能及び送風機と、箱体上方に設けられ、下面に導風部材と導風部材の両側に沿うように配置される空気吹出口とを有するチャンバーと、空気吹出口から空気を吹き出すための送風機とを備え、空気吹出口から吹き出される気流は導風部材を通過した後に合流する。
【００１２】
また、箱体の天面には箱体の天面よりも高い位置で上向きに開口する主吸込口を有する吸込ドームが備えられる。
【００１３】
さらに、吸込ドームの周囲にテーブルが備えられ、主吸込口はテーブルの上面よりも高い位置に設けられている。
【００１４】
またさらに、導風部材は、下方に向かって薄くなる楔状である。
【００１５】
さらにまた、空気吹出口は、口縁に下方に突出する気流ガイドを備える。
【００１６】
天面に空気吸込口を有する箱体と、箱体内に収納された空気を浄化する浄化処理機能及び送風機と、箱体上方に設けられ、下面に空気吹出口を有するチャンバーと、チャンバーを支持するとともに一端がチャンバーと接続され他端が空気吸込口よりも低い位置で開口する略筒状の支柱と、空気吹出口から空気を吹き出すために支柱内にチャンバーへ向かう気流を形成する送風機とを備える。
【００１７】
【発明の実施の形態】
次に本発明の実施の形態を図面に基づいて説明する。
実施の形態１．
図１〜図４によって示すこの実施の形態１の空気浄化装置は、端的には、台構造の箱体１に、箱体１の周囲の空気を連続的に吸込んで浄化処理する機構を組込んで空気清浄機２を構成し、この空気清浄機２に喫煙に拘る種々の事柄に対応できる工夫を講じたものであり、喫煙室に設置したり、駅のプラットホームの一部や社屋の一部に設定された喫煙場所に設置し、その限られた空間に発生する汚濁空気の浄化を図るための装置である。
【００１８】
空気清浄機２の基本的な構成は、被処理空気を取込み再び外部に送り出す一連の通風路に、一方向の空気流を形成する送風機３と、取込んだ被処理空気を浄化処理する浄化処理機能主体としてのフィルター４を組込んだものである。通風路は箱体１内に構成され、その被処理空気を取込む吸込口５は、箱体１の天面６の中央に上向きに開設されている。通風路の出口である吹出口７は、箱体１の側面の下部や底面などに複数個開設されている。送風機３は、通風路の吹出口７側に組込まれ、吸込口５から吹出口７に向う空気流を通風路に形成する。送風機３としては本実施の形態ではターボファンが採用されているが、シロッコファンやラジアルファン等の他の遠心式送風機でも構わない。本実施の形態のフィルター４は、比較的大きな粒子を捕集するプレフィルター８と、比較的微細な粒子を捕集する電気集塵機９と、気体状態の臭気成分を吸着する脱臭フィルター１０とにより構成され、プレフィルター８、電気集塵機９、脱臭フィルター１０の順に吸込口５と送風機３の吸込口との間の通風路に、通風路を横断する状態にプレフィルター８が上流側になるように着脱可能に装着されている。
【００１９】
箱体１は、空気清浄機２の外殻としての構造であるが、天面６上にテーブル１１が設けられ、キャビネット型に構成されている。即ち、箱体１のテーブル１１の上面のテーブル面１２までの床面からの高さは、人が立った状態で違和感なく手を動かしたり肘をついたり、物を置いたりすることのできる高さに形成されている。テーブル１１は箱体１の天面６において箱体１の外方へフランジ状に張り出し、そのテーブル面１２は灰皿や飲物を置いたり本や手荷物を置いたりすることができるようになっている。箱体１の高さは利用者の体格にもよるが、日本人の平均的な大人の身長に基づいて８００ｍｍ〜１０００ｍｍ程度に設定されている。箱体１の底部にはストッパー付きの車輪１３が取付けられていて、装置全体を必要な場所に自由に移動しストッパーにより所定位置に留め置くことができるようになっている。
【００２０】
箱体１の天面６上には、吸込口５の外周を囲み吸込口５より高い位置において上向きに開口する主吸込口１４を備えた吸込ドーム１５が設けられている。吸込ドーム１５の上端部は全周にわたってカールによるＲ形状に仕上げられている。吸込ドーム１５の上端に開設された主吸込口１４には異物の侵入を防止するためにパンチングメタルやメッシュにより構成された保護蓋１６が装着されている。吸込ドーム１５の内部は空洞の通風路１７となっていて、主吸込口１４と箱体１の吸込口５とは上下に対向する位置関係にある。吸込ドーム１５の高さは、１００ｍｍ〜５００ｍｍをめどに箱体１の高さに応じて適宜に設定すればよい。
【００２１】
なお、プレフィルター８の位置については、保護蓋１６と電気集塵機９の間であればよく、脱臭フィルター１０の位置についても送風機３の吐出口と吹出口７の間の通風路でもよい。
【００２２】
この空気浄化装置は、喫煙室や喫煙場所に設置して送風機３を運転させれば、吸込ドーム１５の上方及びテーブル面１２まわりに吸込作用が働く。そして、主吸込口１４から吸込まれた周囲の空気は、吸込ドーム１５内の通風路１７を通過して箱体１の吸込口５から空気清浄機２に入る。吸込口５から吸込まれた空気は、フィルター４を通過して送風機３に吸込まれ、送風機３の吐出口に連絡した複数の吹出口７から吹出される。空気清浄機２に吸込まれた空気は、フィルター４を通過する際に、まずプレフィルター８により比較的大きな粒子が捕集され、次に電気集塵機９により比較的微細な粒子が捕集され、さらに脱臭フィルター１０により気体状態の臭気成分が吸着され、浄化処理される。
【００２３】
この空気浄化装置の特徴は、送風機３による吸込作用の働く範囲（タバコの煙等を吸引できる１ｍ／ｓ程度の気流の形成される領域）が吸込ドーム１５があることにより広範になっていることである。床面からテーブル面１２までの高さを１０００ｍｍとし、吸込ドーム１５の高さを２５０ｍｍとして測定した結果を図２によって示している。吸込ドーム１５がない場合の吸込作用の働く範囲は、図２の実線Ａで囲まれる範囲であり、吸込ドーム１５を備えると吸込作用の働く範囲は、図２の破線Ｂで囲まれる範囲となる。吸込ドーム１５により吸込口５が実質的に上方へ２５０ｍｍ移行することにより、垂直方向についての吸込作用の働く範囲は２５０ｍｍ高くなるのは当然のことであるが、水平方向についての吸込作用の働く範囲も図示のように拡大する。
【００２４】
それは、吸込ドーム１５の主吸込口１４の開口する平面上に壁面が無く、主吸込口１４へのほぼ水平方向からの吸込気流に壁面のような流速固定条件が無いため、吸込気流側が強制的に減速されることがないためである。吸込ドーム１５が無い場合には、吸込口５へほぼ水平方向に向う吸込気流は、テーブル面１２又は箱体１の天面６という壁面の存在によりせん断応力の拘束を受けるため、図２に示すように吸込作用の働く範囲は狭くなる。また、タバコの煙等を吸込む力は、主吸込口１４を含む平面よりも下方の空間にも及ぶ。主吸込口１４への吸込速度は主吸込口１４からの距離の２乗に反比例するが、主吸込口１４からの距離が短いため主吸込口１４を含む平面よりも下方のテーブル面１２にもタバコの煙等を吸込む力は働くことになる。主吸込口１４の開口面積を大きくすることによっても水平方向の吸込作用の働く範囲を広くすることができる。
【００２５】
従って、この空気浄化装置を喫煙場所として使った場合、例えば上記した箱体１及び吸込ドーム１５の高さ寸法によれば、垂直方向のタバコの煙等の吸込範囲は床面から１０００ｍｍ高さ付近からそれより７５０ｍｍ上方付近までとなり、例えば身長１ｍ８０ｃｍの喫煙者がテーブル１１の脇に立って口から吹出すタバコの煙や、手にしたタバコから出る煙も主吸込口１４から吸込みこれを浄化処理することが可能である。勿論、テーブル面１２上に置いた灰皿においたタバコから出る煙も主吸込口１４から吸込みこれを浄化処理することができる。この空気浄化装置では、上述のような機能により喫煙者がテーブル１１の対向位置について喫煙しても対面している同士が吹出すタバコの煙を吹きかけ合うような不快感を醸すことも少なく、良好な使用感が得られる。また、吸込ドーム１５の上端に主吸込口１４があるため、テーブル面１２で飲物等を溢しても主吸込口１４から空気浄化装置内に入込むことはなく、溢れた飲物等の侵入による電気部品の故障を未然に防止することができる。
【００２６】
なお、吸込ドーム１５の形状は、さい頭円錐形や角錐形の他にも、図３に示すように末拡がりの錐形にしても、中間がくびれた図４に示すような形状にしてもよい。また、箱体１及びテーブル面１２の形状についても角枠形や丸枠形や楕円枠形等を適宜採用して意匠的構成を採ることができる。
【００２７】
実施の形態２．
図５〜図１０によって示すこの実施の形態２は、実施の形態１で示した空気浄化装置に喫煙に伴う吸殻入れや灰入れとしての灰皿１８を設けたものである。空気浄化装置自体の構成は実施の形態１で示したものと同じである。従って、実施の形態１のものと同じ部分については実施の形態１のものと同じ符号を用い、それらについての説明は省略する。
【００２８】
この実施の形態２の空気浄化装置は、喫煙用の灰皿１８を図５に示すように、吸込み作用の働く範囲内の吸込ドーム１５の側面やテーブル１１に備え付けたものである。灰皿１８は固定してもよいが、清掃性が悪いため着脱できるようにした方が使い易い。灰皿１８の着脱構造としては、取付場所が磁性材料で構成されていれば、図６に示すように灰皿１８の取付面に磁石１９を埋設したり接着したりすることにより構成できる。また、図７に示すように掛止用のフック２０を設け、吸込ドーム１５の上端部等に引っ掛けて止めるように構成することも、図８に示すように吸盤２１を設けて吸着させるようにすることもできる。さらには、灰皿１８を引き出し式にし、テーブルの端部等において出し入れ可能に構成することもできる。収納できる灰皿１８の構成としては、引き出し式の他に図９に示すように灰皿１８を下部において吸込ドーム１５の側壁に回動可能に枢支２２させる構成を採ることもできる。
【００２９】
灰皿１８は基本的には吸込ドーム１５の側部に設けた方が、テーブル面１２を広く使うことができ使い勝手が良い。また、吸込み作用の働く範囲の内側寄りに位置することになるため、灰皿１８に置いたタバコから出る煙を周囲に逃がすことなく吸引し、浄化処理することができる。
【００３０】
また、図１０に示すように吸込ドーム１５の外周を隙間をもって囲む壁２３を構成し、この隙間に傾斜板２４を設け、傾斜板２４の下端に引き出し式の灰皿１８を設けることもできる。この構成を採れば、広い範囲でタバコの灰を受けることができ、吸殻は傾斜板２４を転がって灰皿１８にまとめて収められることになり、吸殻の処理も容易なため駅等の喫煙所など大勢の人が利用する場所に適した空気浄化装置となる。これ以外の構成及び機能は実施の形態１のものと同じである。
【００３１】
実施の形態３．
図１１によって示すこの実施の形態３は、実施の形態１で示した空気浄化装置の吸込ドーム１５の主吸込口１４の形状とテーブル１１の平面形状を相似形状に構成したものである。空気浄化装置自体の基本構成は実施の形態１で示したものと同じである。従って、実施の形態１のものと同じ部分については実施の形態１のものと同じ符号を用い、それらについての説明は省略する。
【００３２】
吸込ドーム１５の主吸込口１４の形状とテーブル１１の平面形状を図１１に示すように相似形状に構成することにより、テーブル面１２の全周にわたって吸込作用がほぼ均等に働くことになる。即ち、ある地点における吸込速度は、主吸込口１４からの距離の２乗に反比例するため、例えば、図１１に示すように円形の主吸込口１４に対して円形のテーブル１１とすることにより、テーブル面１２の縁のどの位置に喫煙者が立っても、ほぼ同じ吸引性能が得られることになる。これ以外の構成及び機能は実施の形態１のものと同じである。なお、この実施の形態３は、実施の形態２に対しても適用することができる。
【００３３】
実施の形態４．
図１２によって示すこの実施の形態４は、実施の形態１で示した空気浄化装置に吸込み性能の向上を図る工夫を講じたものである。空気浄化装置自体の基本構成は実施の形態１で示したものと同じである。従って、実施の形態１のものと同じ部分については実施の形態１のものと同じ符号を用い、それらについての説明は省略する。
【００３４】
この実施の形態４の空気浄化装置は、内径の漸減する導風管２５を設けて、吸込ドーム１５の主吸込口１４からフィルター４までの間の通風路をフィルター４側ほど断面積の漸減する縮小風路に構成したものである。これにより、主吸込口１４の入口での気流の衝突損失や吸込口５の口縁部の段差による渦損失がなくなり、主吸込口１４から遠い距離の点までも吸込風速が得られ、吸引作用の働く範囲が拡大する。これ以外の構成及び機能は実施の形態１のものと同じである。なお、この実施の形態４は、実施の形態２，３に対しても適用することができる。
【００３５】
実施の形態５．
図１３〜図１８によって示すこの実施の形態５は、実施の形態１で示した空気浄化装置に、主吸込口１４に向う吹降ろし気流を生成する吹降ろし気流生成部２６を設けたものである。空気浄化装置自体の基本構成は実施の形態１で示したものと同じである。従って、実施の形態１のものと同じ部分については実施の形態１のものと同じ符号を用い、それらについての説明は省略する。
【００３６】
この実施の形態５の空気浄化装置は、吸込ドーム１５の主吸込口１４の上方に周囲の空気の取り入れ可能なチャンバー２７を設け、チャンバー２７の主吸込口１４と対向する下面に、主吸込口１４に向う吹降ろし気流を生成する導風部材２８とスリット吹出口２９とからなる吹降ろし気流生成部２６を設けたものである。チャンバー２７は、支柱３０によって吸込ドーム１５の上方に支持されている。支柱３０の内部は中空になっていて、その一端はチャンバー２７に連通し、他端はテーブル面１２の下面に吸込口３１として開口していて、チャンバー２７への通風路が構成されている。支柱３０には、テーブル１１の下面の吸込口３１から空気を吸込み通風路によってチャンバー２７内へ送り込む送風機３２が設けられている。チャンバー２７は、送風機３２による送風を取り入れ、送風を静圧回復して均一化するもので、扁平な盤状に構成されているが、送風を静圧回復できる容積を確保できれば形状は問題ではない。チャンバー２７の主吸込口１４に対向する下面には細長い二つのスリット吹出口２９が間隔をおいて平行に開設され、二つのスリット吹出口２９の間に導風部材２８が設けられている。導風部材２８は、スリット吹出口２９の長手方向の長さ以上の長さを持ち、二面の導風面３３が下端において稜角線３４をなして交叉する楔型に構成され、下端の稜角線３４が主吸込口１４の中央に沿うように設けられている。導風部材２８の二面の導風面３３に対してスリット吹出口２９がそれぞれ沿うように配置されている。
【００３７】
吹降ろし気流生成部２６は、主吸込口１４に向ってシート状の吹降ろし気流を生成するもので、簡略化した図１５によってその機能を説明する。送風機３２の運転によって、テーブル１１の下面に開口した吸込口３１から吸込まれた空気は、支持機能を兼ねた支柱３０内の通風路を経てチャンバー２７に送り込まれる。送気された空気はチャンバー２７内で静圧回復し、二列のスリット吹出口２９から均等に吹出される。ここで図１５のような構成によれば通常、チャンバー２７への吹込口３５から遠方ほど吹出し流速が速くなることが知られている。そこで、チャンバー２７での静圧回復が十分でない場合には、吹込口３５から離れるほど流路面積を狭くして圧力損失を増大させたり、円弧型等の風向変更ベーン（図示しない）を吹込口３５に近いチャンバー２７内に設けて、その部分の風量を積極的に増大させる等の流速均一化の対策を講じることが望ましい。
【００３８】
二列のスリット吹出口２９から吹き出されたスリット状の噴流は、噴流の流体現象の一つであるコアンダ効果のため、それぞれ導風部材２８の導風面３３に沿った壁面噴流３６となって下方へ吹降ろされていく。二つの壁面噴流３６は導風面３３の稜角線３４を通過した地点で合流する。二面の導風面３３はできるだけ鋭角に交叉するように形成されており、二つの壁面噴流３６の合流はスムーズに行なわれ、合流後は安定した一枚のシート状の吹降ろし気流３７となって主吸込口１４の中央部分から吸込ドーム１５内に吸込まれていく。このように、主吸込口１４の上方から吹降ろし気流３７を発生させてプツシュ・プル型の遮断流を形成することにより、例えば、図１５に示すように空気浄化装置を囲む喫煙者３８が、吹降ろし気流３７に向って吹出したタバコの煙３９は、吹降ろし気流３７に衝突し、主吸込口１４側へ強制的に押し曲げられ、誘引されて確実に主吸込口１４から吸引され箱体１内で浄化処理され吹出口７から外部に吹出される。従って、対面する喫煙者にタバコの煙が吹きかかるようなことはなく、良好な使用感が得られる。吸込ドーム１５と空気清浄機２との構成は実施の形態１と同様であり、その機能も同じである。
【００３９】
吹降ろし気流生成部２６は、図１６や図１７に示すようにチャンバー２７の下面に矩形の開口部４０をあけ、この開口部４０に断面形状が二等辺三角形の導風部材２８を、その底面側をチャンバー２７内に突入させて設け、導風部材２８の導風面３３と開口部４０の口縁との間をスリット吹出口２９として構成することもできる。この吹降ろし気流生成部２６の構成によれば、導風面３３にスリット吹出口２９が近接するため、円滑に壁面噴流３６が形成されることになる。なお、導風部材２８は充実構造でも中空構造でも構わないし、平板で構成しても構わないが、導風面３３は表面に汚れが付着し、表面の滑らかさが失われる可能性もあるため、表面に汚れの付きにくい素材で形成するか、コーティングを施すことが望ましい。
【００４０】
ここで、吹降ろし気流生成部２６の生成する吹降ろし気流３７と一般的な二次元噴流を比較することで、吹降ろし気流生成部２６の機能の明確化を図ることにする。図１８の（ａ）は、単一のスリット４１から吹出された二次元噴流４２の構造を示した断面図であり、図１８（ｂ）は楔状の導風部材２８により二列のスリット４３から吹出された噴流４４の構造を示した断面図である。比較のために、いずれもＵ０の初速で吹出され、吹出風量も吹出し幅の合計も同じとする。図１８の（ａ）においてスリット４１から吹出された二次元噴流４２は、周囲の気体を巻き込みながら展開角度一定で広がっていくことが知られている。吸込ドーム１５の主吸込口１４が、スリット４１から距離ｈ離れた下方に設けられていると、主吸込口１４の位置では最大速度Ｕｍａｘは減衰して、初速Ｕ０よりも小さくなっており、Ｎ．Ｒａｊａｒｔｎａｍ（噴流、森北出版、ｐ．２２、１９８０）によれば、Ｕｍａｘ＝３．５０Ｕ０（ｈ／１）−1/2 の値となる。
【００４１】
一方、図１８の（ｂ）において楔型の導風部材２８による二つのスリット４３から吹出された場合には、各々が導風面３３に添う壁面流噴３６になる。壁面噴流３６では、周囲の気体を巻き込む面が壁面に面していない自由せん断面に限られているため、比較的安定な状態を維持しつつ楔型の頂点（稜角線３４）まで移動することができる。さらに、頂角ができる限り鋭角に構成されているため、二つの壁面噴流３６は頂点において滑らかに合流し、あたかも幅２ｌの吹出原点が導風部材２８の頂点に移動したかのように、新たに頂点から幅２ｌの合流した噴流４４となる。導風部材２８のスリット４３から頂点までの高さをｈ０とすると、前記した数式を用いてスリット４３からｈの地点における最大速度Ｕｍａｘは、３．５０Ｕ０｛（ｈ−ｈ０）／１｝−1/2 となり、スリット４３から吹出された単一の二次元噴流４２より明らかに大きくなる。換言すれば、主吸込口１４地点での噴流４４の最大速度をある値にするには、通常の幅２ｌのスリット４１からの二次元噴流４２の場合よりも小さな初期流速で良いことになる。
【００４２】
このように、この実施の形態５で示したような構成の吹降ろし気流生成部２６を備えることにより、低速かつ安定した吹降ろし気流３７を主吸込口１４に向けて形成して、テーブル面１２の両側を遮断することができるとともに、喫煙者が吹き出したタバコの煙がテーブル面１２の反対側にまで到達することを防止することができる。
【００４３】
実施の形態６．
図１９〜図２１によって示すこの実施の形態６は、実施の形態５で示した空気浄化装置の吹降ろし気流生成部２６に関する他の形態を示したものであり、基本的な構成は、実施の形態５で示したものと同じである。従って、実施の形態５のものと同じ部分については実施の形態５のものと同じ符号を用い、それらについての説明は省略する。
【００４４】
実施の形態５では、チャンバー２７へ送風する送風機３２を、吸込口３１を配設したテーブル１１の下面に設けたが、例えば、図１９に示すようにチャンバー２７内に二つの軸流型の送風機３２を組込み、チャンバー２７への吸込口３１をチャンバー２７の上面に設けても良い。このような構成を採ることにより、支柱３０に通風路を構成する必要がなくなるため支柱３０を簡略化し小型化することができるうえ、チャンバー２７の上方に立ち上った煙をチャンバー２７の吸込口３１から吸込み、吹降ろし気流３７とともに吹降ろして主吸込口１４に搬送することができる。軸流型の送風機３２は比較的低騒音であるため、装置全体の低騒音化にも寄与できる。なお、このような構成の吹降ろし気流生成部２６では、支柱３０を廃止し、喫煙場所の天井から吹降ろし気流生成部２６を吊り支持できるような構成とすることも可能である。
【００４５】
また、図２０に示すようにチャンバー２７の一側部に遠心式の送風機３２を設け、送風機３２の一側に吸込口３１を設けてもよく、さらには、図２１に示すようにチャンバー２７内に貫流式の送風機３２を設け、チャンバー２７の前面や背面の上側に吸込口３１を設けても良い。いずれの構成によっても吸込口３１が立ち姿勢の喫煙者の頭上或いは口近傍に位置するように設けられるため、吹降ろし気流３７に誘引されずに上方へ逃れる煙を捉え主吸込口１４へ搬送することができる。これ以外の構成及び機能は実施の形態５のものと同じである。
【００４６】
実施の形態７．
図２２，２３によって示すこの実施の形態７も、実施の形態５で示した空気浄化装置の吹降ろし気流生成部２６に関するものであり、基本的な構成は、実施の形態５で示したものと同じである。従って、実施の形態５のものと同じ部分については実施の形態５のものと同じ符号を用い、それらについての説明は省略する。
【００４７】
この実施の形態７の空気浄化装置の吹降ろし気流生成部２６には、図２２に示すようにスリット吹出口２９から吹出される噴流をより安定化するための気流ガイド４５が備えられている。気流ガイド４５は平板状に構成され、スリット吹出口２９の導風部材２８の導風面３３に対向する口縁に沿って、導風面３３にほぼ平行に突き出す形態に設けられている。気流ガイド４５の長さは、スリット吹出口２９の長手方向の寸法と同じか、それより長く設定されている。
【００４８】
このような気流ガイド４５により、スリット吹出口２９から吹出される噴流の方向が、導風部材２８の導風面３３により沿う方向となるため、より安定した壁面噴流３６を形成することができ、吹降ろし気流３７もより安定した気流となる。気流ガイド４５は、図２３に示すようにチャンバー２７の内部に突入するように構成しても同様な機能を果たし得る。これ以外の構成及び機能は実施の形態５のものと同じである。なお、この実施の形態７は、実施の形態６のものにも適用することができる。
【００４９】
実施の形態８．
図２４によって示すこの実施の形態８も、実施の形態５で示した空気浄化装置の吹降ろし気流生成部２６に関するものであり、特に、チャンバー２７への空気の吸込口３１の位置に関するものである。その他の基本的な構成は、実施の形態５で示したものと同じである。従って、実施の形態５のものと同じ部分については実施の形態５のものと同じ符号を用い、それらについての説明は省略する。
【００５０】
先に図１４で示した吹降ろし気流生成部２６においては、チャンバー２７への空気の取り入れはテーブル１１の下面の吸込口３１から行なわれる。主吸込口１４より下位のテーブル１１の下面から空気を吸込むようにすると、比較的汚濁していない清浄な空気、或いは空気清浄機２の箱体１下部から吹出される浄化処理された清浄な空気をチャンバー２７に送り込むことができる。従って、吹降ろし気流３７もそうした比較的清浄な気流となり、利用者に不快感を与えずに済み、使用感が向上する。また、支柱３０内部や送風機３２並びにチャンバー２７内も汚れの付着が少なくなり、保守性についても向上する。支柱３０についてはその断面形状は円形でも楕円形でも矩形でもよく、その形状は問わないが、実際は支柱３０を兼ねた送風配管であるため、簡素な構成を採ることができ、意匠性の向上も推進することができる。吸込口３１の位置は、主吸込口１４より低位であれば、図２４に示すように箱体１の側面でも構わない。なお、図２４はテーブル１１を省略して示しているが、箱体１からフランジ状に張り出すテーブル１１は、テーブル面１２の上側の汚濁空気を離隔する機能もあり、比較的清浄な空気を吸込口３１から吸込ませるには重要な要素でもある。
【００５１】
実施の形態９．
図２５によって示すこの実施の形態９は、実施の形態５で示した空気浄化装置の吹降ろし気流生成部２６の吸込口３１と空気清浄機２の吹出口７とを連絡したものであり、これに係る構成以外の基本的な構成は、実施の形態５で示したものと同じである。従って、実施の形態５のものと同じ部分については実施の形態５のものと同じ符号を用い、それらについての説明は省略する。
【００５２】
先に図１４で示した吹降ろし気流生成部２６においては、チャンバー２７への空気の取り入れはテーブル１１の下面の吸込口３１から行なわれる。この実施の形態９の空気浄化装置では、吹降ろし気流生成部２６の吸込口は送風配管３０ａにより延長されて空気清浄機２の箱体１の下部に設けられた吹出口７の一箇所に接続されている。送風配管３０ａの断面形状は中空で空気清浄機２の送風機３の送風を阻害しない程度の断面積を有するものであれば、いかなる形でもよい。空気清浄機２の送風を利用して吹降ろし気流３７を生成させる構成であるため、吹降ろし気流生成部２６には送風機は不要である。送風配管３０ａについては、図２５に示すように箱体１の外表に沿わしても、箱体１内に収め込んでもよい。
【００５３】
このような構成を採れば、送風機３は一台で済み、電気配線も制御回路等も簡単になりコストの低減を推進できる。吹降ろし気流３７は、空気清浄機２の箱体１の下部から吹出される浄化処理された清浄な空気により形成されるため、清浄な気流であり利用者に不快感を与えずにすみ、使用感が向上する。これ以外の構成及び機能は実施の形態５のものと同じである。なお、この実施の形態９は、実施の形態７，８にも適用することができる。
【００５４】
実施の形態１０．
図２６によって示すこの実施の形態１０は、実施の形態５で示した空気浄化装置の吹降ろし気流生成部２６に照明機能を付与したものであり、それ以外の構成は、実施の形態５で示したものと基本的に同じである。従って、実施の形態５のものと同じ部分については実施の形態５のものと同じ符号を用い、それらについての説明は省略する。
【００５５】
この実施の形態１０の空気浄化装置は、楔型の導風部材２８全体或いは、導風面３３が透光性を備えた材料により形成されている。導風部材２８は、中空に構成されその内部に照明装置４６が組込まれている。この場合、導風部材２８はランプシェードとしても機能するため、汚れの付着の少ない材料で形成するか、コーティングを施すことが望ましい。もともと導風部材２８は、三角柱が横向きでチャンバー２７の下部から突出した照明器具の意匠に適した形状であり、照明装置４６を点燈させると、導風部材２８がランプシェードのように機能し、周囲を照明することができ、室内の照明位置に左右されることなく空気浄化装置を設置することができる。また、駅のプラットホーム等の広い場所では、遠くの喫煙場所でも利用者にその場所を視認し易くする効果も得られる。なお、照明装置４６は、チャンバー２７の下面等に別に設けても良い。これ以外の構成及び機能は実施の形態５のものと同じである。なお、この実施の形態１０は楔型の導風部材２８を備えた他の実施の形態にも適用することができる。
【００５６】
実施の形態１１．
図２７によって示すこの実施の形態１１は、実施の形態５で示した空気浄化装置の吹降ろし気流生成部２６の導風部材２８に関するものであり、それに係る構成以外は、実施の形態５で示したものと同じである。従って、実施の形態５のものと同じ部分については実施の形態５のものと同じ符号を用い、それらについての説明は省略する。
【００５７】
この実施の形態１１の空気浄化装置は、楔型の導風部材２８の全体又は先端部が軟質の弾性材４７、例えば難燃性ゴムや難燃性のプラスチックで形成されている。導風部材２８の稜角線３４は鋭角に構成されているため先端部は薄く、折れたり欠けたりし易い。こうした構成を採ることにより、先端部に利用者が接触したり物が当ったりしても折れたり、曲ったり、欠けたりしないようにでき、機能を長く維持できる。これ以外の構成及び機能は実施の形態５のものと同じである。なお、この実施の形態１１は楔型の導風部材２８を備えた他の実施の形態にも適用することができる。
【００５８】
実施の形態１２．
図２８，２９によって示すこの実施の形態１２は、実施の形態５で示した空気浄化装置のチャンバー２７や導風部材２８に表示機能を具備させたものであり、それに係る構成以外は、実施の形態５で示したものと同じである。従って、実施の形態５のものと同じ部分については実施の形態５のものと同じ符号を用い、それらについての説明は省略する。
【００５９】
この実施の形態１２の空気浄化装置は、本装置の用途や機能が遠くからでもよく分るように、チャンバー２７や導風部材２８に文字や記号の表示４８を施し、チャンバー２７や導風部材２８を表示部４９に構成したものである。表示部４９は例えば、チャンバー２７の側面を利用して構成してもよいが、図２８のように表示４８を施した表示プレート５０をチャンバー２７の上面に装着してもよい。もともと、チャンバー２７は箱体１の上方に広告塔のように浮き上がっており、このチャンバー２７を利用して喫煙コーナーといった文字やマークを表示４８することにより、遠くからも容易に場所及び用途が利用者に分り好都合である。
【００６０】
また、図２９に示すようにチャンバー２７の一側に空気浄化装置の運転のオン・オフを表示するスイッチランプ５１を配置することによっても、スイッチランプ５１により遠くからでも空気浄化装置が稼動しているかどうか明確になり、喫煙時間が設定されているような場合にはスイッチランプ５１の点燈・消燈により喫煙できる時間か否かを明示することができる。さらに表示４８は、導風部材２８の二面の導風面３３を表示部４９として表示することもできる。導風面３３は視認性が良いので表示４８は遠くからも良く見えることになる。これ以外の構成及び機能は実施の形態５のものと同じである。なお、この実施の形態１２はチャンバー２７や導風部材２８を備えた他の実施の形態にも適用することができる。
【００６１】
実施の形態１３．
図３０〜図３４によって示すこの実施の形態１３は、前記各実施の形態で示した空気浄化装置の自動運転機能に関するものであり、それに係る構成以外は、前記各実施の形態で示したものと同じである。従って、各実施の形態のものと同じ部分については各実施の形態のものと同じ符号を用い、それらについての説明は省略する。
【００６２】
この空気浄化装置には人の出す赤外線を検知し、検知信号を出力する焦電型の人感センサー５２が設けられ、周囲に人が居るか居ないかにより自動運転できるように構成されている。人感センサー５２は、チャンバー２７を備えたものでは、図３０に示すようにチャンバー２７の下面に配設すれば、検知範囲が広くとれて配置個数も少なくできて都合がいい。チャンバー２７を備えていないものでは、吸込ドーム１５の側面等に配設すればよい。人感センサー５２の出力は、制御回路５３に入力され制御回路５３により予め設定された制御フローにより処理され、空気清浄機２への通電を制御する。チャンバー２７があり、吹降ろし気流３７を生成するもので送風機３２を備えたものでは、この送風機３２の通電も制御する。制御回路５３は、図３１に示すように入力信号処理部５４と、処理信号が変化してからの経過時間を認識できるタイマカウント部５５と、出力処理部５６とから構成され、図３２に示すような制御フローに基づいて空気浄化装置を自動運転する。
【００６３】
即ち、図３２において初期設定の後、制御回路５３ではＳ１において、人感センサー５２からの入力信号を入力信号処理部５４において処理する（＃１の処理）を行ないＳ２へ進む。Ｓ２では人感センサー５２が人を検知したかどうかを判定する（＃２の処理）。Ｓ２で人を検知したら、Ｓ３において出力処理部５６により電源スイッチ５７をオンし強運転で送風機３を運転する処理（＃３の処理）を行ないＳ５へ進む。Ｓ２において人を検知しなければ、Ｓ４に進み電源スイッチ５７をオフ（＃４の処理）しＳ２へ戻る。Ｓ５では人感センサー５２からの入力信号を入力信号処理部５４において処理を行ない（＃５の処理）、Ｓ６に進む。Ｓ６では人感センサー５２が人を検知したかどうかを判定する（＃６の処理）。
【００６４】
Ｓ６で人を検知したら、Ｓ３の処理に戻り、人を検知しなければＳ７へ進む。Ｓ７では送風機３を弱運転する処理を行ない（＃７の処理）、Ｓ８へ進む。Ｓ８ではタイマカウント部５５で人を検知しなくなってからの経過時間をカウントする処理（＃８の処理）を行ないＳ９へ進む。Ｓ９では、設定時間が経過したか否かを判定する処理（＃９の処理）を行ない、経過していればＳ１０で電源スイッチをオフする処理（＃１０の処理）を行ないＳ１へ戻る。Ｓ９で設定時間経過していなければ、Ｓ５の処理に戻る。
【００６５】
こうした制御方式以外にも、例えば人の多少を人感センサー５２の出力値の大小によって制御回路５３で判定し、大勢の時には送風機３を強運転させて処理風量を大きくし、小人数の時には送風機３を弱運転させて処理風量を少なくする自動運転方式を採ることもできる。このような自動運転機能を具備させることにより、必要な時にだけ空気の汚染度に応じた風量で運転するため、ランニングコストを抑えることができ、省エネルギー性を付与できる。
【００６６】
また、図３３，３４に示すように人感センサー５２に換えて空気浄化装置に雑ガスセンサー５８を設け、その出力信号に応じて自動運転できるように構成することも可能である。雑ガスセンサー５８は、チャンバー２７を備えたものでは、チャンバー２７の下面や側面に配設すれば、煙の発生場所近くで、煙が拡散する前に検知できるので迅速で正確な制御を行なうことができる。雑ガスセンサー５８の出力信号は、制御回路５３に入力され制御回路５３により予め設定された制御フローにより処理され、空気清浄機２への通電を制御する。チャンバー２７があり、吹降ろし気流３７を生成するもので送風機３２を備えたものでは、この送風機３２も制御する。制御回路５３は、図３３に示すように入力信号処理部５４とタイマカウント部５５と出力処理部５６とから構成され、図３４に示すような制御フローに基づいて空気浄化装置を自動運転する。
【００６７】
即ち、図３４において初期設定の後、制御回路５３ではＳ２１において、雑ガスセンサー５８からの出力信号を入力信号処理部５４にとりこみ、Ｓ２２においてＡ／Ｄ変換しＡ／Ｄ変換値Ｘ（雑ガス濃度）を求め、Ｓ２３へ進む。Ｓ２３ではＸが予め設定された濃度値Ａより大きいか否かが判定される。大きくなければＳ２４で電源スイッチ５７をオフし、Ｓ２５おいてタイマカウント部５５で処理信号が変化してからの経過時間をカウントしてＳ２６へ進む。Ｓ２６では設定時間が経過したか否かが判定され、経過していればＳ２１へ戻り、経過していなければＳ２４に戻る。Ｓ２３でＡ＜ＸであればＳ２７に進み、送風機３を弱運転する処理を行ない、Ｓ２８においてタイマカウントする処理を行ないＳ２９へ進む。Ｓ２９では設定時間が経過したか否かが判定され、経過していればＳ３０へ進み、していなければＳ２７へ戻る。
【００６８】
Ｓ３０では、雑ガスセンサー５８からの出力信号を入力信号処理部５４にとりこむ処理を行ない、Ｓ３１においてＡ／Ｄ変換しＡ／Ｄ変換値Ｘを求め、Ｓ３２へ進む。Ｓ３２ではＸが予め設定された濃度値ａより小さいか否かが判定される。ここで濃度値Ａ＞濃度値ａである。Ｓ３２でＸ＜ａであればＳ２４へ進み、Ｘ＜ａでなければＳ３３へ進む。Ｓ３３ではＸが予め設定された濃度値Ｂより大きいか否かが判定される。ここで濃度値Ｂは濃度値Ａより高い値である。Ｓ３３でＢ＜ＸであればＳ３４へ進み、Ｂ＜ＸでなければＳ３０へ戻る。Ｓ３４では送風機３を強運転する処理を行ない、Ｓ３５でタイマカウントする処理をしてＳ３６へ進む。Ｓ３６では所定時間経過したか否かが判定され、経過していればＳ３７へ進み、していなければＳ３４へ戻る。
【００６９】
Ｓ３７では、雑ガスセンサー５８からの出力信号を入力信号処理部５４にとりこむ処理を行ない、Ｓ３８においてＡ／Ｄ変換しＡ／Ｄ変換値Ｘを求め、Ｓ３９へ進む。Ｓ３９ではＸが予め設定された濃度値ｂより小さいか否かが判定される。ここで濃度値Ｂ＞濃度値ｂである。また濃度値ｂ≧濃度値Ａである。Ｓ３９でＸ＜ｂであればＳ２７へ戻り、そうでなければＳ３７へ戻る。なお、タイマカウント部５５は処理信号が変化してからの経過時間を認識し、設定時間を経過したか否かの処理を行なうことによりチャタリング動作を防止している。このような自動運転機能を具備させることにより、必要な時にだけ空気の汚染度に応じた風量で運転するため、ランニングコストを抑えることができ、省エネルギー性を付与できる。
【００７０】
実施の形態１４．
図３５によって示すこの実施の形態１４は、前記各実施の形態で示した空気浄化装置の箱体１に関するものであり、それに係る構成以外は、前記各実施の形態で示したものと同じである。従って、各実施の形態のものと同じ部分については各実施の形態のものと同じ符号を用い、それらについての説明は省略する。
【００７１】
空気浄化装置の箱体１を多面体に構成し、その隅角部の下部に各吹出口７を配設したものである。具体的には隅角部を面取り状態にカットし、カット部分５９に図３５に示すように各吹出口７を開口させる。テーブル１１の平面形状が四角形等の場合、利用者の多くは、コーナー部を避けてテーブル面に臨むことになる。この利用者の避ける位置に吹出口７を配設することにより、吹出し気流が利用者の足元に直接当ることを回避することができる。従って、利用者は足元に気流感を覚えずに済み、使用感が向上する。
【００７２】
実施の形態１５．
図３６によって示すこの実施の形態１５は、実施の形態１で示した空気浄化装置と実施の形態８で示した空気浄化装置の構成を併せ持つ構成である。従って、実施の形態１，８のものと同じ部分については各実施の形態のものと同じ符号を用い、それらについての説明は省略する。
【００７３】
実施の形態１の構成と実施の形態８の構成を併せ持つ実施の形態１５の空気浄化装置によれば、実施の形態１のものの機能と実施の形態８のものの機能を併せ持つものとなる。即ち、静粛であり、テーブル面で飲物等を溢しても故障原因にならず、対面する喫煙者に吹出したタバコの煙が吹きかからず、吹降ろし気流３７も比較的新鮮な快適性の高いものとなり、吸引範囲も広い空気浄化装置となる。
【００７４】
実施の形態１６．
図３７によって示すこの実施の形態１６は、テーブル１１を備えた各実施の形態で示した空気浄化装置のテーブル１１を別構成にして、着脱可能に構成したものである。この構成に係る部分以外は、各実施の形態のものの構成と同じである。従って、各実施の形態のものと同じ部分については各実施の形態のものと同じ符号を用い、それらについての説明は省略する。
【００７５】
テーブル１１を備えた前記各実施の形態において、空気浄化処理機能についてはテーブル１１を持たなくても基本的には達成することができるものである。テーブル１１は利用し易さや、装置の上方と下方の空気を適当に離隔する機能を果たすが、狭隘なスペースでは邪魔になることもある。そこでこの実施の形態１６の空気浄化装置では、空気浄化装置の本体とテーブル１１とが着脱可能に構成され、必要に応じてテーブル１１が着脱できるようになっている。
【００７６】
テーブル１１を着脱可能にするには、図３７に示すように四隅部が脚６０で支持されるテーブル天板６１を破線で示すように二分割構成として、テーブル天板６１が箱体１の上面において吸込ドーム１５を挟むように取付け、係止金具（図示しない）等で接合状態を保持させるか、図３７に示すように、テーブル天板６１に装置嵌合開口６２を形成し、空気浄化装置本体側の上面に装置嵌合開口６２の平面積より広い張り出しのフランジ６３を形成するかすればよい。後者の構成によれば、空気浄化装置本体をテーブル天板６１の装置嵌合開口６２に抜き差しするだけでテーブル１１を脱着でき、構成も簡素で使い易く、狭隘な場所では容易にテーブル１１を外して機能させることができ、省スペースを図ることができる。
【００７７】
【発明の効果】
浄化処理するための空気を吸引する範囲が広く、使用感も優れ、溢れた飲物等が故障原因にならない空気浄化装置が得られる。
【００７８】
また、テーブル面が広く使え、使い勝手が向上する。
【００７９】
さらに、吹降ろし気流により喫煙に伴うタバコの煙をより効果的に吸引して浄化処理することができる空気浄化装置が得られる。
【００８０】
またさらに、吸込み性能が向上し、より吸引範囲が広くなる。
【００８１】
さらにまた、テーブル面が広く使え、使い勝手が向上する。
【００８２】
また、吹降ろし気流を低速で安定したものにできる。
【００８３】
さらに、安定した吹降ろし気流が得られる。
【００８４】
またさらに、構成の簡素化とともに汚れの少ない吹降ろし気流がえられ、使用感も向上する。
【図面の簡単な説明】
【図１】  実施の形態１の空気浄化装置を一部を破断して示す側面図である。
【図２】  実施の形態１の空気浄化装置の吸込範囲に関する説明図である。
【図３】  実施の形態１の空気浄化装置の他の形態を示す斜視図である。
【図４】  実施の形態１の空気浄化装置のさらに他の形態を示す斜視図である。
【図５】  実施の形態２の空気浄化装置示す要部の斜視図である。
【図６】  実施の形態２の空気浄化装置の灰皿の構成の一例を示す斜視図である。
【図７】  実施の形態２の空気浄化装置の灰皿の構成の一例を示す斜視図である。
【図８】  実施の形態２の空気浄化装置の灰皿の構成の一例を示す斜視図である。
【図９】  実施の形態２の空気浄化装置の灰皿の構成の一例を示す断面図である。
【図１０】  実施の形態２の空気浄化装置の灰皿の構成の一例を示す要部についての斜視図である。
【図１１】  実施の形態３の空気浄化装置の全体を示す斜視図である。
【図１２】  実施の形態４の空気浄化装置の構成を一部を破断して示す側面図である。
【図１３】  実施の形態５の空気浄化装置の上方向からの斜視図である。
【図１４】  実施の形態５の空気浄化装置の下方向からの斜視図である。
【図１５】  実施の形態５の空気浄化装置の吹降ろし気流生成部の機能を示す説明図である。
【図１６】  実施の形態５の空気浄化装置の吹降ろし気流生成部の構成を示す断面図である。
【図１７】  実施の形態５の空気浄化装置の吹降ろし気流生成部の他の構成を示す断面図である。
【図１８】  実施の形態５の空気浄化装置の吹降ろし気流生成部の機能を一般的な二次元噴流との比較で示す説明図である。
【図１９】  実施の形態６の空気浄化装置のチャンバーに関する構成を示す要部の斜視図である。
【図２０】  実施の形態６の空気浄化装置の他のチャンバーに関する構成を示す要部の斜視図である。
【図２１】  実施の形態６の空気浄化装置のさらに他のチャンバーに関する構成を示す要部の斜視図である。
【図２２】  実施の形態７の空気浄化装置の吹降ろし気流生成部の構成を示す断面図である。
【図２３】  実施の形態７の空気浄化装置の吹降ろし気流生成部の他の構成を示す断面図である。
【図２４】  実施の形態８の空気浄化装置を示す略体斜視図である。
【図２５】  実施の形態９の空気浄化装置を示す斜視図である。
【図２６】  実施の形態１０の空気浄化装置の要部を透視して示す斜視図である。
【図２７】  実施の形態１１の空気浄化装置の要部についての斜視図である。
【図２８】  実施の形態１２の空気浄化装置の要部についての斜視図である。
【図２９】  実施の形態１２の空気浄化装置の要部についての斜視図である。
【図３０】  実施の形態１３の空気浄化装置の要部についての斜視図である。
【図３１】  実施の形態１３の空気浄化装置の回路構成図である。
【図３２】  実施の形態１３の空気浄化装置の制御フローを示すフローチャートである。
【図３３】  実施の形態１３の空気浄化装置の他の回路構成図である。
【図３４】  実施の形態１３の空気浄化装置の他の制御フローを示すフローチャートである。
【図３５】  実施の形態１４の空気浄化装置の構成を示す斜視図である。
【図３６】  実施の形態１５の空気浄化装置の構成を一部を破断して示す側面図である。
【図３７】  実施の形態１６の空気浄化装置の構成を示す斜視図である。
【図３８】  従来の空気浄化機能付きテーブルの構成を示す断面図である。
【図３９】  従来の他の空気浄化機能付きテーブルの構成を示す断面図である。
【符号の説明】
１  箱体、  ２  空気清浄機、  ３  送風機、  ４  フィルター、  ５  吸込口、  ７  吹出口、  １１  テーブル、  １４  主吸込口、  １５  吸込ドーム、  １８  灰皿、  ２５  導風管、  ２６  吹降ろし気流生成部、  ２７  チャンバー、  ２８  導風部材、  ２９  スリット吹出口、  ３０  支柱、  ３１  吸込口、  ３２  送風機、  ３３  導風面、  ３４  稜角線、  ３７  吹降ろし気流、  ４５  気流ガイド、  ４６  照明装置、  ４７  弾性材、  ４８  表示、  ４９  表示部、  ５２  人感センサー、  ５３  制御回路、  ５９  カット部分、  ６２  装置嵌合開口。
【図１】
0003707267.tif 000002
【図２】
0003707267.tif 000003
【図３】
0003707267.tif 000004
【図４】
0003707267.tif 000005
【図５】
0003707267.tif 000006
【図６】
0003707267.tif 000007
【図７】
0003707267.tif 000008
【図８】
0003707267.tif 000009
【図９】
0003707267.tif 000010
【図１０】
0003707267.tif 000011
【図１１】
0003707267.tif 000012
【図１２】
0003707267.tif 000013
【図１３】
0003707267.tif 000014
【図１４】
0003707267.tif 000015
【図１５】
0003707267.tif 000016
【図１６】
0003707267.tif 000017
【図１７】
0003707267.tif 000018
【図１８】
0003707267.tif 000019
【図１９】
0003707267.tif 000020
【図２０】
0003707267.tif 000021
【図２１】
0003707267.tif 000022
【図２２】
0003707267.tif 000023
【図２３】
0003707267.tif 000024
【図２４】
0003707267.tif 000025
【図２５】
0003707267.tif 000026
【図２６】
0003707267.tif 000027
【図２７】
0003707267.tif 000028
【図２８】
0003707267.tif 000029
【図２９】
0003707267.tif 000030
【図３０】
0003707267.tif 000031
【図３１】
0003707267.tif 000032
【図３２】
0003707267.tif 000033
【図３３】
0003707267.tif 000034
【図３４】
0003707267.tif 000035
【図３５】
0003707267.tif 000036
【図３６】
0003707267.tif 000037
【図３７】
0003707267.tif 000038
【図３８】
0003707267.tif 000039
【図３９】
0003707267.tif 000040